(57)【要約】【課題】管理対象物に関する情報の誤認を防止し安全に低コストで管理することができる情報管理システムを提供する。【解決手段】情報管理システム１は、橋梁に関する情報を管理するシステムであり、記憶装置２と情報読取／書込装置４との間で橋梁の管理情報を送受信する。記憶装置２は、管理情報を記憶する無線タグであり、現地に存在する橋梁自身に管理情報を保持可能なようにこの橋梁に設置又は橋梁の近傍に配置されている。記憶部２ｃは、橋梁の識別情報、設計情報、検査履歴情報、災害履歴情報、損傷履歴情報、保守履歴情報、施工記録情報、施工方針情報などを管理情報として記憶する大規模集積回路(LSI)などである。その結果、従来、管理事務所内に存在していた各橋梁に固有の管理情報を現場に存在する橋梁自身に持たせることができ、現場で管理情報を容易に確認することができる。【選択図】図２
2007249707.tif 000002
【特許請求の範囲】
【請求項１】
管理対象物に関する情報を管理する情報管理システムであって、
前記管理対象物を管理するために必要な管理情報を記憶する記憶装置を備え、
前記記憶装置は、前記管理対象物に設置又は前記管理対象物の近傍に配置されること、
を特徴とする情報管理システム。
【請求項２】
請求項１に記載の情報管理システムにおいて、
前記記憶装置は、前記管理対象物が固定構造物であるときに、この固定構造物を管理するために必要な管理情報を記憶すること、
を特徴とする情報管理システム。
【請求項３】
請求項１又は請求項２に記載の情報管理システムにおいて、
前記記憶装置は、前記管理対象物の設計情報、検査履歴情報、災害履歴情報、損傷履歴情報、保守履歴情報、施工記録情報又は施工方針情報の少なくとも一つの情報を前記管理情報として記憶すること、
を特徴とする情報管理システム。
【請求項４】
請求項１から請求項３までのいずれか１項に記載の情報管理システムにおいて、
前記記憶装置は、被覆部によって被覆されること、
を特徴とする情報管理システム。
【請求項５】
請求項１から請求項３までのいずれか１項に記載の情報管理システムにおいて、
前記記憶装置は、前記管理対象物に埋設又は前記管理対象物の近傍の構造物に埋設されること、
を特徴とする情報管理システム。
【請求項６】
請求項１から請求項５までのいずれか１項に記載の情報管理システムにおいて、
前記記憶装置は、前記管理対象物の状態を検出する検出装置の検出結果を記憶すること、
を特徴とする情報管理システム。
【請求項７】
請求項６に記載の情報管理システムにおいて、
前記記憶装置は、前記管理対象物の異常な状態を前記検出装置が検出したときに、この異常な状態が発生した時刻を記憶すること、
を特徴とする情報管理システム。
【請求項８】
請求項１から請求項７までのいずれか１項に記載の情報管理システムにおいて、
前記記憶装置は、前記管理情報を更新可能に記憶すること、
を特徴とする情報管理システム。
【請求項９】
請求項１から請求項８までのいずれか１項に記載の情報管理システムにおいて、
前記記憶装置は、無線タグであること、
を特徴とする情報管理システム。
【請求項１０】
請求項１から請求項９までのいずれか１項に記載の情報管理システムにおいて、
前記記憶装置から前記管理情報を読み取るとともに、前記記憶装置に前記管理情報を書き込む情報読取／書込装置を備えること、
を特徴とする情報管理システム。
【請求項１１】
請求項１０に記載の情報管理システムにおいて、
前記情報読取／書込装置は、前記記憶装置との間で相互に無線通信が可能であること、
を特徴とする情報管理システム。
【発明の詳細な説明】
【技術分野】
【０００１】
この発明は、管理対象物に関する情報を管理する情報管理システムに関する。
【背景技術】
【０００２】
従来、構造物に関する情報を管理する場合には、紙媒体である管理台帳や電子媒体である管理システムなどを使用することが一般的である。これらの従来の管理台帳や管理システムは、通常、管理事務所内に保管されており、構造物を検査するときにはこの構造物が存在する現場まで管理台帳を持ち出したり、管理システムから必要な情報を紙媒体に印刷して持ち出したりしている。
【０００３】
従来の監視対象構造物の監視装置は、監視対象物である化学装置の複数のセンサが出力する計測データを管理情報として記憶するデータ管理装置と、このデータ管理装置との間で相互に通信が可能であり、この化学装置の作業エリア内で保守、点検又は監視などの作業を行う作業員が携帯するポータブル通信装置などを備えている（例えば、特許文献１参照）。このような従来の監視対象構造物の監視装置では、送信要求データをポータブル通信装置に作業員が入力すると、この送信要求データがポータブル通信装置からデータ管理装置に送信され、この送信要求データが要求する管理情報をデータ管理装置からポータブル通信装置に送信している。
【０００４】
【特許文献１】特開平10-79093号公報
【発明の開示】
【発明が解決しようとする課題】
【０００５】
従来の管理台帳では、管理事務所内で保管されているが人為的なミスによって紛失するおそれがあるとともに、管理台帳に記載された構造物と現場に存在する構造物とを作業者が混同し誤認するおそれがある。このため、従来の管理台帳では、このような誤認を防ぐために複数の作業者が管理台帳と構造物とをチェックしてから構造物の検査をする必要があり、作業の省力化を図ることができない問題点がある。また、従来の管理システムでは、人為的なミスによって管理データを破壊するおそれがあるとともに、地震や火事などの災害によって損傷や消失などのおそれがある。さらに、従来の監視対象構造物の監視装置では、データ管理装置とポータブル通信装置とによって構成されているため大規模になり、コストが高くなってしまうとともに、データ管理装置が災害によって損傷したり人為的なミスによって管理データを破壊したりする問題点がある。
【０００６】
この発明の課題は、管理対象物に関する情報の誤認を防止し安全に低コストで管理することができる情報管理システムを提供することである。
【課題を解決するための手段】
【０００７】
この発明は、以下に記載するような解決手段により、前記課題を解決する。
なお、この発明の実施形態に対応する符号を付して説明するが、この実施形態に限定するものではない。
請求項１の発明は、管理対象物（Ｂ）に関する情報を管理する情報管理システムであって、前記管理対象物を管理するために必要な管理情報を記憶する記憶装置（２）を備え、前記記憶装置は、前記管理対象物に設置又は前記管理対象物の近傍に配置されることを特徴とする情報管理システム（１）である。
【０００８】
請求項２の発明は、請求項１に記載の情報管理システムにおいて、前記記憶装置は、前記管理対象物が固定構造物（Ｂ）であるときに、この固定構造物を管理するために必要な管理情報を記憶することを特徴とする情報管理システムである。
【０００９】
請求項３の発明は、請求項１又は請求項２に記載の情報管理システムにおいて、前記記憶装置は、前記管理対象物の設計情報、検査履歴情報、災害履歴情報、損傷履歴情報、保守履歴情報、施工記録情報又は施工方針情報の少なくとも一つの情報を前記管理情報として記憶することを特徴とする情報管理システムである。
【００１０】
請求項４の発明は、請求項１から請求項３までのいずれか１項に記載の情報管理システムにおいて、前記記憶装置は、被覆部（３）によって被覆されることを特徴とする情報管理システムである。
【００１１】
請求項５の発明は、請求項１から請求項３までのいずれか１項に記載の情報管理システムにおいて、前記記憶装置は、前記管理対象物又は前記管理対象物の近傍の構造物（Ｐ）に埋設されることを特徴とする情報管理システムである。
【００１２】
請求項６の発明は、請求項１から請求項５までのいずれか１項に記載の情報管理システムにおいて、前記記憶装置は、前記管理対象物の状態を検出する検出装置（５）の検出結果を記憶することを特徴とする情報管理システムである。
【００１３】
請求項７の発明は、請求項６に記載の情報管理システムにおいて、前記記憶装置は、前記管理対象物の異常な状態を前記検出装置が検出したときに、この異常な状態が発生した時刻を記憶することを特徴とする情報管理システムである。
【００１４】
請求項８の発明は、請求項１から請求項７までのいずれか１項に記載の情報管理システムにおいて、前記記憶装置は、前記管理情報を更新可能に記憶することを特徴とする情報管理システムである。
【００１５】
請求項９の発明は、請求項１から請求項８までのいずれか１項に記載の情報管理システムにおいて、前記記憶装置は、無線タグであることを特徴としている情報管理システムである。
【００１６】
請求項１０の発明は、請求項１から請求項９までのいずれか１項に記載の情報管理システムにおいて、前記記憶装置から前記管理情報を読み取るとともに、前記記憶装置に前記管理情報を書き込む情報読取／書込装置（４）を備えることを特徴とする情報管理システムである。
【００１７】
請求項１１の発明は、請求項１０に記載の情報管理システムにおいて、前記情報読取／書込装置は、前記記憶装置との間で相互に無線通信が可能であることを特徴とする情報管理システムである。
【発明の効果】
【００１８】
この発明によると、管理対象物に関する情報の誤認を防止し安全に低コストで管理することができる。
【発明を実施するための最良の形態】
【００１９】
（第１実施形態）
以下、図面を参照して、この発明の第１実施形態について詳しく説明する。
図１は、この発明の第１実施形態に係る情報管理システムを模式的に示す全体図である。図２は、この発明の第１実施形態に係る情報管理システムの構成図である。図３は、この発明の第１実施形態に係る情報管理システムの記憶装置の設置状態を示す断面図であり、図３（Ａ）は被覆部によって被覆した状態を示す断面図であり、図３（Ｂ）は橋梁に埋設された状態を示す断面図である。
【００２０】
図１に示す橋梁Ｂは、情報管理システム１によって管理される管理対象物であり、車両Ｖが走行する軌道Ｒの下部に空間を確保して、列車の荷重を支持する固定構造物である。軌道Ｒは、車両Ｖが走行する通路（線路）であり、車両Ｖは橋梁Ｂ上を走行する電車又は気動車などの鉄道車両である。利用者Ｍは、橋梁Ｂを監視、保守又は検査する作業者である。
【００２１】
図１及び図２に示す情報管理システム１は、橋梁Ｂに関する情報を管理するシステムであり、記憶装置２と情報読取／書込装置４などを備えている。情報管理システム１は、橋梁Ｂを管理するために必要な管理情報（以下、管理情報という）を記憶装置２と情報読取／書込装置４との間で相互に通信可能にして、記憶装置２から情報読取／書込装置４に管理情報を読み出させるとともに、情報読取／書込装置４から記憶装置２に管理情報を書き込ませる。
【００２２】
記憶装置２は、管理情報を記憶する装置である。記憶装置２は、情報読取／書込装置４からの指令に基づいて管理情報を情報読取／書込装置４に送信したり、情報読取／書込装置４からの指令に基づいて情報読取／書込装置４から管理情報を受信したりする。記憶装置２は、例えば、無線ICタグ、IDタグ、RFID(Radio Frequency Identification)、RFタグ、電子タグなどの無線タグであり、ICチップ、アンテナ及びこれらを被覆する樹脂材料などによって構成されている。記憶装置２は、図１に示すように、現地に存在する橋梁Ｂ自身に管理情報を保持可能なようにこの橋梁Ｂに設置又は橋梁Ｂの近傍に配置されている。記憶装置２は、例えば、橋梁Ｂの一部を構成する部材である主桁Ｂ1などに設置されたり、橋梁Ｂの近傍の構造物である電柱Ｐなどに設置されたりする。
【００２３】
記憶装置２は、図３（Ａ）に示すように、橋梁Ｂの表面に被覆部３によって被覆されたり、図３（Ｂ）に示すように橋梁Ｂに埋設されたりする。記憶装置２は、図３（Ａ）に示すように、例えば、橋梁Ｂが鋼材を主要材料とする鋼橋であるときには、この橋梁Ｂの表面に接着剤などによって接着された後に、被覆部３によって被覆される。被覆部３は、記憶装置２を保護する手段であり、記憶装置２の表面を被覆する粘着テープ又は合成樹脂などである。被覆部３は、記憶装置２と情報読取／書込装置４との間で無線通信が可能な程度の厚さで形成されている。記憶装置２は、図３（Ｂ）に示すように、例えば、橋梁Ｂがコンクリートを主要材料とするコンクリート橋であるときにはこの橋梁Ｂに埋設されており、記憶装置２と情報読取／書込装置４との間で無線通信が可能な程度の深さでこの橋梁Ｂに埋め込まれる。記憶装置２は、図２に示すように、アンテナ部２ａと、制御部２ｂと、記憶部２ｃなどを備えている。
【００２４】
図２に示すアンテナ部２ａは、管理情報を送受信する手段である。アンテナ部２ａは、情報読取／書込装置４側のアンテナ部４ａとの間で相互に通信可能であり、記憶部２ｃが記憶する管理情報をアンテナ部４ａに送信するとともに、このアンテナ部４ａが送信する管理情報を受信する。アンテナ部２ａは、アンテナ部４ａのアンテナコイルとの間の電磁誘導作用によって情報読取／書込装置４側から電力が供給されるアンテナコイルを備えており、この電力によって動作して情報読取／書込装置４との間で管理情報を送受信する。
【００２５】
制御部２ｂは、記憶装置２側の種々の動作を制御する手段である。制御部２ｂは、管理情報を送受信する送受信制御部として機能し、アンテナ部２ａが供給する電力を電源として動作する。制御部２ｂは、例えば、記憶部２ｃから読み出した管理情報をアンテナ部２ａから情報読取／書込装置４に送信させたり、情報読取／書込装置４から受信した管理情報を記憶部２ｃに記憶させたりする。制御部２ｂは、アンテナ部２ａ及び記憶部２ｃと通信可能なように接続されている。
【００２６】
図４は、この発明の第１実施形態に係る情報管理システムの記憶装置の記憶部のデータ構造を一例として示す模式図である。
記憶部２ｃは、管理情報を記憶する手段である。記憶部２ｃは、例えば、図４に示すように、橋梁Ｂの名称及び識別番号などに関する識別情報Ｄ11，Ｄ12，…と、橋梁Ｂの設計方針などに関する設計情報Ｄ21，Ｄ22，…と、橋梁Ｂの検査を実施した時期などに関する検査履歴情報Ｄ31，Ｄ32，…と、橋梁Ｂが被災した時期などに関する災害履歴情報Ｄ41，Ｄ42，…と、橋梁Ｂに損傷が発生した時期などに関する損傷履歴情報Ｄ51，Ｄ52，…と、橋梁Ｂの保守を実施した時期などに関する保守履歴情報Ｄ61，Ｄ62，…と、橋梁Ｂの施工業者名、担当者名及び施工経緯などに関する施工記録情報Ｄ71，Ｄ72，…と、橋梁Ｂの施工又は補修に至った理由などに関する施工方針情報Ｄ81，Ｄ82，…などを管理情報として記憶する大規模集積回路(LSI)である。記憶部２ｃは、管理情報を更新可能に記憶しており、情報読取／書込装置４から記憶装置２に更新後の管理情報が送信されたときには、更新前の管理情報とともに更新後の管理情報を時系列順に記憶する。
【００２７】
図２に示す情報読取／書込装置４は、記憶装置２から管理情報を読み取るとともに、この記憶装置２に管理情報を書き込む装置である。情報読取／書込装置４は、記憶装置２との間で相互に無線通信が可能であり、管理情報の読み出しを記憶装置２に指令してこの管理情報を受信したり、管理情報を記憶装置２に送信してこの管理情報の書き込みを記憶装置２に指令したりする。情報読取／書込装置４は、例えば、無線タグとの間で相互に通信可能なリーダ／ライタ装置であり、図１に示すように利用者Ｍが携帯可能であって持ち運びが容易な携帯端末機などである。情報読取／書込装置４は、アンテナ部４ａと、情報入力部４ｂと、情報表示部４ｃと、記憶部４ｄと、電源部４ｅと、インタフェース部４ｆと、制御部４ｇなどを備えている。
【００２８】
アンテナ部４ａは、管理情報を送受信する手段である。アンテナ部４ａは、記憶装置２側のアンテナ部２ａとの間で相互に通信可能であり、記憶部４ｄが記憶する管理情報をアンテナ部２ａに送信するとともに、このアンテナ部２ａが送信する管理情報を受信する。アンテナ部４ａは、管理情報をキャリア波とともに送信する変調器と、キャリア波を受信して管理情報を抽出する復調器などを備えている。
【００２９】
情報入力部４ｂは、情報読取／書込装置４に種々の情報を入力する手段である。情報入力部４ｂは、例えば、利用者Ｍが橋梁Ｂを監視、保守又は検査後に検査履歴情報、損主緒履歴情報又は保守履歴情報などの管理情報を入力するキーボードなどの入力装置である。情報入力部４ｂは、利用者Ｍが入力した管理情報を制御部４ｇに出力する。
【００３０】
情報表示部４ｃは、情報読取／書込装置４に種々の情報を表示する手段である。情報表示部４ｃは、例えば、記憶装置２から読み出した管理情報を画面上に表示したり、記憶装置２に書き込む管理情報を画面上に表示したりする表示装置である。
【００３１】
記憶部４ｄは、橋梁Ｂを管理するために必要な管理情報を記憶する手段である。記憶部４ｄは、情報読取／書込装置４側から記憶装置２側へ送信する管理情報を記憶したり、記憶装置２側から受信した管理情報を記憶したりするメモリである。
【００３２】
電源部４ｅは、情報読取／書込装置４に電力を供給する手段である。電源部４ｅは、例えば、情報読取／書込装置４に着脱自在に装着され交換可能な電池などであり、図示しない電源スイッチを利用者ＭがON操作することによって情報読取／書込装置４に電力の供給を開始する。
【００３３】
インタフェース部４ｆは、情報読取／書込装置４と外部装置との間で種々の情報を入出力させる手段である。インタフェース部４ｆは、コンピュータ又は各種コントローラなどの外部装置と情報読取／書込装置４とを接続しこれらの間で種々の情報を入出力させるインタフェース(I/O)回路である。インタフェース部４ｆは、例えば、記憶装置２から読み出して記憶部４ｄが記憶する管理情報を利用者Ｍが作業終了後に管理事務所内のホストコンピュータなどに通信装置を通じて出力する。
【００３４】
制御部４ｇは、情報読取／書込装置４側の種々の動作を制御する手段である。制御部４ｇは、管理情報を送受信する送受信制御部として機能する。制御部４ｇは、例えば、アンテナ部４ａが受信した管理情報を記憶部４ｄに記憶させたり、情報入力部４ｂが出力する管理情報を記憶部４ｄに記憶させたり、記憶部４ｄから管理情報を読み出してアンテナ部４ａから記憶装置２側のアンテナ部２ａに送信させたり、記憶部４ｄから管理情報を読み出して情報表示部４ｃに表示させたり、記憶部４ｄから管理情報を読み出してインタフェース部４ｆから出力させたりする。制御部４ｇは、アンテナ部４ａ、情報入力部４ｂ、情報表示部４ｃ、記憶部４ｄ、電源部４ｅ及びインタフェース部４ｆと通信可能なように接続されている。
【００３５】
次に、この発明の第１実施形態に係る情報管理システムの動作を説明する。
（読取動作）
図５は、この発明の第１実施形態に係る情報管理システムの管理情報の読取動作を説明するためのフローチャートであり、図５（Ａ）は情報読取／書込装置側の処理を説明するためのフローチャートであり、図５（Ｂ）は記憶装置側の処理を説明するためのフローチャートである。以下では、制御部２ｂ及び制御部４ｇの動作を中心として説明する。
【００３６】
図５（Ａ）に示すステップ（以下、Ｓという）１００において、記憶装置２に制御部４ｇが管理情報の読み出しを指令する。図１に示すように、情報読取／書込装置４を利用者Ｍが携帯して橋梁Ｂが存在する現場まで行き、記憶装置２と情報読取／書込装置４との間で無線通信可能な距離まで近づく。次に、情報読取／書込装置４の図示しない電源スイッチを利用者ＭがON操作すると情報読取／書込装置４が起動を開始し、図示しない操作スイッチを操作して管理情報の読み出しを利用者Ｍが選択する。その結果、記憶装置２側のアンテナ部２ａにアンテナ部４ａから制御部４ｇが読出指令信号を送信し、管理情報の読み出しを記憶装置２に指令する。
【００３７】
図５（Ｂ）に示すＳ１１０において、制御部２ｂが管理情報の読出指令を受信する。情報読取／書込装置４のアンテナ部４ａが送信する読出指令信号をアンテナ部２ａが受信して、この読出指令信号を制御部２ｂに出力する。
【００３８】
Ｓ１２０において、制御部２ｂが記憶部２ｃから管理情報を読み出す。アンテナ部２ａが読出指令信号を受信すると、記憶装置２に電力が供給されて記憶装置２が起動を開始し、記憶部２ｃから制御部２ｂが管理情報を読み出す。
【００３９】
Ｓ１３０において、情報読取／書込装置４に制御部２ｂが管理情報を送信する。制御部２ｂが管理情報をアンテナ部２ａに出力すると、アンテナ部２ａから情報読取／書込装置４へ管理情報が送信される。
【００４０】
図５（Ａ）に示すステップ１４０において、制御部４ｇが管理情報を受信する。記憶装置２が管理情報を送信すると、アンテナ部４ａが管理情報を受信して制御部４ｇに出力する。
【００４１】
Ｓ１５０において、管理情報の記憶を制御部４ｇが記憶部４ｄに指令する。その結果、制御部４ｇが管理情報を記憶部４ｄに出力し、この管理情報を記憶部４ｄが記憶する。
【００４２】
Ｓ１６０において、管理情報の表示を制御部４ｇが情報表示部４ｃに指令する。その結果、制御部４ｇが管理情報を情報表示部４ｃに出力して、この管理情報を情報表示部４ｃが画面上に表示し、利用者Ｍがこの管理情報を参照しながら橋梁Ｂの保守又は検査などの作業を行う。
【００４３】
（書込動作）
図６は、この発明の第１実施形態に係る情報管理システムの管理情報の書込動作を説明するためのフローチャートであり、図６（Ａ）は情報読取／書込装置側の処理を説明するためのフローチャートであり、図６（Ｂ）は記憶装置側の処理を説明するためのフローチャートである。
【００４４】
図６（Ａ）に示すＳ２００において、記憶装置２に制御部４ｇが管理情報の書込を指令する。図１に示すように、利用者Ｍが橋梁Ｂの管理情報を参照しながらこの橋梁Ｂの保守又は検査などの作業を行った後に、作業後の管理情報を利用者Ｍが情報入力部４ｂによって入力すると、この管理情報が制御部４ｇから記憶部４ｄに出力され記憶される。次に、情報読取／書込装置４の図示しない操作スイッチを作業者Ｍが操作して、管理情報の書き込みを利用者Ｍが選択すると、記憶装置２側のアンテナ部２ａにアンテナ部４ａから制御部４ｇが書込指令信号を送信し、管理情報の書き込みを記憶装置２に指令する。
【００４５】
Ｓ２１０において、記憶装置２に制御部４ｇが管理情報を送信する。記憶部４ｄから制御部４ｇが管理情報を読み出してアンテナ部４ａに出力すると、アンテナ部４ａから記憶装置２へ管理情報が送信される。
【００４６】
図６（Ｂ）に示すＳ２２０において、制御部２ｂが管理情報の書込指令を受信する。情報読取／書込装置４のアンテナ部４ａが送信する書込指令信号をアンテナ部２ａが受信すると、記憶装置２に電力が供給されて記憶装置２が起動を開始し、アンテナ部２ａから制御部２ｂに書込指令信号が出力される。
【００４７】
Ｓ２３０において、制御部２ｂが管理情報を受信する。情報読取／書込装置４が管理情報を送信すると、アンテナ部２ａが管理情報を受信して制御部２ｂに出力する。
【００４８】
Ｓ２４０において、管理情報の記憶を制御部２ｂが記憶部２ｃに指令する。その結果、制御部２ｂが管理情報を記憶部２ｃに出力し、この管理情報を記憶部２ｃが記憶し、過去から現在に至るまでの橋梁Ｂの管理情報が時系列順に記録される。
【００４９】
この発明の第１実施形態に係る情報管理システムには、以下に記載するような効果がある。
(1) この第１実施形態では、橋梁Ｂを管理するために必要な管理情報を記憶装置２が記憶し、この記憶装置２が橋梁Ｂに設置又は橋梁Ｂの近傍に配置される。このため、従来、管理事務所内に存在していた各固定構造物に固有の管理情報を現場に存在する固定構造物自身に持たせることができ、現場で管理情報を容易に確認することができる。その結果、従来の管理台帳や管理システムのような利用者Ｍによる橋梁Ｂの誤認を防止することができるとともに、このような誤認を防止するために複数の作業員によるチェック作業が不要になるため省力化を図ることができる。また、橋梁Ｂの管理情報を管理事務所内の管理台帳や管理システムによって集中して管理せずに、現場の橋梁Ｂ自身に分散して管理情報を持たせ保存することができる。その結果、複数の利用者Ｍによって管理情報を共有することができるため、従来の管理台帳や管理システムのような災害による管理情報の紛失や破壊などを防ぐことができ、管理情報を長期間にわたり安全に残しておくことができる。
【００５０】
(2) この第１実施形態では、橋梁Ｂの設計情報、検査履歴情報、災害履歴情報、損傷履歴情報、保守履歴情報、施工記録情報及び施工方針情報を記憶装置２が管理情報として記憶する。このため、橋梁Ｂに関する多種類の管理情報を現地で容易に確認することができる。また、橋梁Ｂの管理者のみが知っていたこの橋梁Ｂの施工方針などを管理台帳や管理システムにこの管理者が入力することなく退職や転勤したようなときに、後任の管理者が引継ぎを受けていなくてもこれらの施工方針などを現地で記憶装置２から読み出すことができる。
【００５１】
(3) この第１実施形態では、記憶装置２が被覆部３によって被覆又は記憶装置２が橋梁Ｂに埋設される。このため、記憶装置２が記憶する管理情報の第三者による悪意の破壊、引き出し及び上書きなどを防止することができるとともに、記憶装置２が被覆又は埋設されているため記憶装置２の耐候性を向上させることができる。
【００５２】
(4) この第１実施形態では、管理情報を更新可能に記憶装置２が記憶する。このため、過去から現在に至るまでの橋梁Ｂの管理情報を時系列順に記録することができるとともに、従来の管理台帳や管理システムのような管理事務所に戻ってからの更新作業を実施する手間が省略され、現地で直ぐに更新作業を短時間に実施することができる。
【００５３】
(5) この第１実施形態では、記憶装置２が無線タグである。このため、情報管理システム１全体をコンパクトに構成することができるとともに、情報管理システム１全体を安価に製造することができる。
【００５４】
(6) この第１実施形態では、情報読取／書込装置４が記憶装置２から管理情報を読み取るとともに、この情報読取／書込装置４が記憶装置２に管理情報を書き込む。このため、橋梁Ｂが存在する現地で管理情報を簡単に読み出してこの橋梁Ｂを検査することができるとともに、検査後の管理情報を現地で簡単に記録することができる。
【００５５】
(7) この第１実施形態では、情報読取／書込装置４が記憶装置２との間で相互に無線通信が可能である。このため、橋梁Ｂが存在する現地に情報読取／書込装置４を利用者Ｍが持ち運び、管理情報を読み出したり更新後の管理情報を書き込んだりすることができる。
【００５６】
（第２実施形態）
図７は、この発明の第２実施形態に係る情報管理システムの構成図である。以下では、図１及び図２に示す部分と同一の部分については、同一の番号を付して詳細な説明を省略する。
図７に示す情報管理システム１は、記憶装置２と、情報読取／書込装置４と、検出装置５などを備えており、記憶装置２はアンテナ部２ａと、制御部２ｂと、記憶部２ｃと、計時部（時計部）２ｄなどを備えている。記憶装置２は、検出装置５の検出結果を記憶するとともに、橋梁Ｂの異常な状態を検出装置５が検出したときに、この異常な状態が発生した時刻を記憶する。記憶装置２は、計時部２ｄが測定した時刻情報を管理情報とともに記憶する。計時部２ｄは、時刻を計測する手段であり、制御部２ｂに通信可能に接続されている。計時部２ｄは、時計機能を備えておりアンテナ部２ａが供給する電力を電源として動作する。検出装置５は、橋梁Ｂの状態を検出する装置である。検出装置５は、例えば、橋梁Ｂの振動を検出する振動検出センサ、橋梁Ｂの腐食を検出する腐食検出センサ、又は橋梁Ｂの亀裂を検出する亀裂検出センサなどであり、検出信号（検出情報）を制御部２ｂに出力する。検出装置５は、アンテナ部２ａが供給する電力を電源として動作し、記憶装置２の制御部２ｂと通信可能に接続されている。
【００５７】
次に、この発明の第２実施形態に係る情報管理システムの動作を説明する。
記憶装置２から管理情報を読み出すときには、情報読取／書込装置４のアンテナ部４ａが送信する読出指令信号をアンテナ部２ａが受信すると、記憶装置２に電力が供給されて記憶装置２が起動を開始する。そして、制御部２ｂが検出装置５に電力を供給して検出装置５に橋梁Ｂの状態の検出を指令するとともに、制御部２ｂが計時部２ｄに電力を供給して計時部２ｄの時刻の測定を指令する。その結果、検出装置５が橋梁Ｂの状態を検出して制御部２ｂに検出結果を出力し、橋梁Ｂが異常な状態であるか否かを制御部２ｂが判断する。橋梁Ｂが異常な状態であると制御部２ｂが判断したときには、検出装置５が出力する検出情報の記憶を記憶部２ｃに制御部２ｂが指令し、この検出情報を記憶部２ｃが記憶する。また、橋梁Ｂが異常な状態であると制御部２ｂが判断したときには、検出装置５が橋梁Ｂの異常な状態を検出したときの時刻情報の記憶を記憶部２ｃに制御部２ｂが指令し、この時刻情報が記憶部２ｃに記憶される。
【００５８】
この発明の第２実施形態に係る情報管理システムには、第１実施形態の効果に加えて、以下に記載するような効果がある。
(1) この第２実施形態では、橋梁Ｂの状態を検出する検出装置５の検出結果を記憶装置２が記憶する。このため、例えば、地震、防風、増水又は衝突などの重大な事象が橋梁Ｂに発生したときに、この橋梁Ｂの損傷状態や劣化状態などを記録することができる。
【００５９】
(2) この第２実施形態では、橋梁Ｂの異常な状態を検出装置５が検出したときに、この異常な状態が発生した時刻を記憶装置２が記憶する。このため、橋梁Ｂに災害が発生したときに、この災害発生時の時刻情報を記録しておき災害時の原因究明に役立てることができる。
【００６０】
（他の実施形態）
この発明は、以上説明した実施形態に限定するものではなく、以下に記載するように種々の変形又は変更が可能であり、これらもこの発明の範囲内である。
(1) この実施形態では、管理対象物として橋梁Ｂを例に挙げて説明したが、鉄道車両又は車両部品などについてもこの発明を適用することができる。例えば、鉄道の車体又は車輪を管理するために必要な管理情報を記憶する記憶装置をこれらの車体又は車輪に設置することもできる。この場合には、鉄道車両又は車両部品などをリサイクルして他の鉄道車両などに再使用するときに、過去の履歴などを容易に知ることができる。また、この実施形態では、固定構造物として橋梁Ｂを例に挙げて説明したが、トンネル又は架線柱などの他の固定構造物についてもこの発明を適用することができる。さらに、この実施形態では、鉄道車両が走行する橋梁Ｂを例に挙げて説明したが、自動車が走行する橋や歩行者のみが通行する橋などについてもこの発明を適用することができる。
【００６１】
(2) この実施形態では、管理情報として設計情報などを例に挙げて説明したが、これらの情報の全てを記憶装置２に記憶する場合に限定するものではなく、これらの情報の少なくとも一つを管理情報として記憶装置２に記憶する場合についてもこの発明を適用することができる。また、この実施形態では、橋梁Ｂの近くで利用者Ｍが静止した状態で管理情報を収集する場合を例に挙げて説明したが、検測車などの業務用車両によって軌道Ｒ上を走行しながら管理情報を収集することもできる。さらに、この実施形態では、橋梁Ｂの近傍の構造物である電柱Ｐに記憶装置２を配置する場合を例に挙げて説明したが、電柱Ｐに記憶装置２を被覆部３によって被覆したり、電柱Ｐに記憶装置２を埋設したりすることもできる。
【００６２】
(3) この実施形態では、一つの記憶装置２によって橋梁Ｂ全体を管理する場合を例に挙げて説明したが、橋梁Ｂの橋脚毎に記憶装置２を設置することもできる。また、この実施形態では、アンテナ部２ａから電力を供給する場合を例に挙げて説明したが、記憶装置２に電池などの電源部を内蔵させることもできる。
【図面の簡単な説明】
【００６３】
【図１】この発明の第１実施形態に係る情報管理システムを模式的に示す全体図である。
【図２】この発明の第１実施形態に係る情報管理システムの構成図である。
【図３】この発明の第１実施形態に係る情報管理システムの記憶装置の設置状態を示す断面図であり、（Ａ）は被覆部によって被覆した状態を示す断面図であり、（Ｂ）は橋梁に埋設された状態を示す断面図である。
【図４】この発明の第１実施形態に係る情報管理システムの記憶装置の記憶部のデータ構造を一例として示す模式図である。
【図５】この発明の第１実施形態に係る情報管理システムの管理情報の読取動作を説明するためのフローチャートであり、（Ａ）は情報読取／書込装置側の処理を説明するためのフローチャートであり、（Ｂ）は記憶装置側の処理を説明するためのフローチャートである。
【図６】この発明の第１実施形態に係る情報管理システムの管理情報の書込動作を説明するためのフローチャートであり、（Ａ）は情報読取／書込装置側の処理を説明するためのフローチャートであり、（Ｂ）は記憶装置側の処理を説明するためのフローチャートである。
【図７】この発明の第２実施形態に係る情報管理システムの構成図である。
【符号の説明】
【００６４】
１  情報管理システム
２  記憶装置
２ａ  アンテナ部
２ｂ  制御部
２ｃ  記憶部
２ｄ  計時部
３  被覆部
４  情報読取／書込装置
４ａ  アンテナ部
４ｂ  情報入力部
４ｃ  情報表示部
４ｄ  記憶部
４ｅ  電源部
４ｆ  インタフェース部
４ｇ  制御部
５  検出装置
Ｂ  橋梁（管理対象物(固定構造物))
Ｍ  利用者
Ｖ  車両
Ｒ  軌道
【図１】
2007249707.tif 000003
【図２】
2007249707.tif 000004
【図３】
2007249707.tif 000005
【図４】
2007249707.tif 000006
【図５】
2007249707.tif 000007
【図６】
2007249707.tif 000008
【図７】
2007249707.tif 000009